(57)【要約】【課題】安定なアドレス放電を遂行できるプラズマ表示装置及びその駆動方法を提供する。【解決手段】プラズマ表示装置で、複数の維持電極を第１及び第２グループを含む複数のグループに分け、１フレームをなす複数のサブフィールドを第１及び第２グループを含む複数のグループに分けて駆動する。この時第１グループのサブフィールドでは第１リセット期間に第１グループの放電セルを初期化し、第１アドレス期間に第１グループの放電セルに対してアドレス放電を遂行後、第２リセット期間に第２グループの放電セルを初期化し、第２アドレス期間に第２グループの放電セルに対してアドレス放電を遂行する。この時、補助リセット期間に連なる第１または第２アドレス期間で点灯される放電セルの第１及び第２電極に各々印加される電圧の差をメインリセット期間に連なる第１または第２アドレス期間で点灯される放電セルの第１及び第２電極に各々印加される電圧の差より大きくする。【選択図】図６
2007034272.tif 000002
【特許請求の範囲】
【請求項１】
複数の第１電極と複数の第２電極及び前記第１電極と第２電極に交差する方向に形成される複数の第３電極を含むプラズマ表示装置において、１フレーム期間を複数のサブフィールド期間に分けて駆動する方法であって、
前記複数の第１電極を第１及び第２グループを含む複数のグループに分け、前記複数のサブフィールド期間を第１及び第２グループを含む複数のグループに分け、
前記第１グループのサブフィールド期間は、
第１リセット期間で第１グループの放電セルを初期化する段階と、
第１アドレス期間で第１グループの放電セルのうち点灯される放電セルを選択する段階と、
第２リセット期間で第２グループの放電セルを初期化する段階と、
第２アドレス期間で前記第２グループの放電セルのうち点灯される放電セルを選択する段階と、
維持期間で前記選択された第１及び第２グループの放電セルを維持放電させる段階と、を含み、
前記第１アドレス期間で前記点灯される放電セルの第１及び第２電極に各々印加される電圧差が前記第２アドレス期間で前記点灯される放電セルの第１及び第２電極に各々印加される電圧差と異なる、プラズマ表示装置の駆動方法。
【請求項２】
前記第１及び第２リセット期間のうちいずれか一つは、前記第２電極の電圧を第１電圧から第２電圧まで漸進的に減少させる補助リセット期間であり、残り一つは前記第２電極の電圧を第３電圧から第４電圧まで漸進的に増加させた後、第５電圧から第６電圧まで漸進的に減少させるメインリセット期間である、請求項１に記載のプラズマ表示装置の駆動方法。
【請求項３】
前記第１及び第２アドレス期間では各々
前記第１電極を第７電圧に維持した状態で点灯される放電セルの前記第２電極に第８電圧を印加する段階を含み、
前記補助リセット期間に連なる前記第１または第２アドレス期間での前記第７電圧と前記第８電圧の差が前記メインリセット期間に連なる前記第１または第２アドレス期間での前記第７電圧と前記第８電圧の差より大きい、請求項２に記載のプラズマ表示装置の駆動方法。
【請求項４】
前記第１リセット期間は補助リセット期間であり、前記第２リセット期間はメインリセット期間である、請求項３に記載のプラズマ表示装置の駆動方法。
【請求項５】
前記第１アドレス期間での前記第７電圧が前記第２アドレス期間での前記第７電圧より高い電圧である、請求項４に記載のプラズマ表示装置の駆動方法。
【請求項６】
前記第１アドレス期間での前記第８電圧が前記第２アドレス期間での前記第８電圧より低い電圧である、請求項４に記載のプラズマ表示装置の駆動方法。
【請求項７】
前記補助リセット期間に連なる前記第１または第２アドレス期間直後に、
前記第３電極に第９電圧を印加し、前記第２電極の電圧を第１０電圧から第１１電圧まで漸進的に減少させる段階をさらに含み、
前記第９電圧と前記第１１電圧の差は、前記補助リセット期間で前記第２電極に前記第２電圧が印加される時、前記第３電極と前記第２電極に印加された電圧の差より大きい  請求項２乃至請求項６のうちいずれか一つの項に記載のプラズマ表示装置の駆動方法。
【請求項８】
前記第２グループのサブフィールド期間は、
第３リセット期間で第２グループの放電セルを初期化する段階と、
第３アドレス期間で前記第２グループの放電セルのうち点灯される放電セルを選択する段階と、
第４リセット期間で第１グループの放電セルを初期化する段階と、
第４アドレス期間で前記第１グループの放電セルのうち点灯される放電セルを選択する段階と、
前記維持期間で前記選択された第１及び第２グループの放電セルを維持放電させる段階と、
を含み、
前記第３アドレス期間で前記点灯される放電セルの第１及び第２電極に各々印加される電圧の差が前記第４アドレス期間で前記点灯される放電セルの第１及び第２電極に各々印加される電圧の差と異なる、請求項２乃至請求項６のうちいずれか一つの項に記載のプラズマ表示装置の駆動方法。
【請求項９】
前記第３及び第４リセット期間のうちいずれか一つは前記補助リセット期間であり、残り一つは前記メインリセット期間である、請求項８に記載のプラズマ表示装置の駆動方法。
【請求項１０】
前記第３リセット期間が補助リセット期間であり、前記第４リセット期間がメインリセット期間である、請求項９に記載のプラズマ表示装置の駆動方法。
【請求項１１】
前記第１及び第２グループのサブフィールドのうち一つのグループは奇数番目サブフィールドを含み、残り一つのグループは偶数番目サブフィールドを含む、請求項８に記載のプラズマ表示装置の駆動方法。
【請求項１２】
前記第１グループの第１電極及び第２グループの第１電極のうちいずれかのグループの第１電極は奇数番目第１電極であり、他の一つのグループの第１電極は偶数番目第１電極である、請求項１１に記載のプラズマ表示装置の駆動方法。
【請求項１３】
複数の第１電極と複数の第２電極及び前記第１電極と第２電極に交差する方向に形成される複数の第３電極を含むプラズマ表示パネルと、
前記複数の第１電極を第１及び第２グループを含む複数のグループに分け、１フレーム期間を第１及び第２グループを含む複数のサブフィールド期間に分けて駆動されるように制御する制御部と、
前記第１グループのサブフィールド期間で、第１リセット期間の間第１グループの放電セルを初期化し、第１アドレス期間の間第１グループの放電セルに対してアドレス放電を遂行した後、第２リセット期間の間第２グループの放電セルを初期化し、第２アドレス期間の間第２グループの放電セルに対してアドレス放電を遂行する駆動回路と、を含み、
前記駆動回路は、前記第１アドレス期間で前記点灯される放電セルの第１及び第２電極に各々印加される電圧の差を前記第２アドレス期間で前記点灯される放電セルの第１及び第２電極に各々印加される電圧の差と異なるようにする、プラズマ表示装置。
【請求項１４】
前記第１及び第２リセット期間のうちいずれか一つは、直前サブフィールドで維持放電が起こったセルに対して初期化を遂行する補助リセット期間であり、残り一つは全ての放電セルを初期化するメインリセット期間である、請求項１３に記載のプラズマ表示装置。
【請求項１５】
前記駆動回路は、
前記第１及び第２アドレス期間では、各々前記第１電極を第１電圧に維持した状態で点灯される放電セルの前記第２電極に第２電圧を印加し、
前記補助リセット期間に連なる前記第１または第２アドレス期間での前記第１電圧と前記第２電圧の差が前記メインリセット期間に連なる前記第１または第２アドレス期間での前記第１電圧と前記第２電圧の差より大きい、請求項１４に記載のプラズマ表示装置。
【請求項１６】
前記第１リセット期間が補助リセット期間であり、前記第２リセット期間がメインリセット期間である、請求項１５に記載のプラズマ表示装置。
【請求項１７】
前記駆動回路は、
前記第２グループのサブフィールドで、第３リセット期間の間第２グループの放電セルを初期化し、第３アドレス期間の間第２グループの放電セルに対してアドレス放電を遂行した後、第４リセット期間の間第１グループの放電セルを初期化し、第４アドレス期間の間第１グループの放電セルに対してアドレス放電を遂行し、
前記第３アドレス期間で前記点灯される放電セルの第１及び第２電極に各々印加される電圧の差を前記第４アドレス期間で前記点灯される放電セルの第１及び第２電極に各々印加される電圧の差と異なるようにする、請求項１４乃至請求項１６のうちいずれか一つの項に記載のプラズマ表示装置。
【請求項１８】
前記第３及び第４リセット期間のうち、いずれか一つは前記補助リセット期間であり、残り一つは前記メインリセット期間である、請求項１７に記載のプラズマ表示装置。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを利用して文字または映像を表示するプラズマ表示パネルを利用した表示装置である。
【０００３】
このようなプラズマ表示装置の表示パネルは、１フレーム期間がそれぞれの加重値を有する複数のサブフィールド期間に分割されて駆動され、各サブフィールド期間はリセット期間、アドレス期間及び維持期間からなる。リセット期間は、アドレス放電を安定的に遂行するため放電セルの状態を初期化する期間であり、アドレス期間はアドレス放電を通じて複数の放電セルの中で点灯されるセルを選択する期間である。そして維持期間は、実際に画像を表示するために点灯されるセルに対して維持放電を遂行する期間である。
【０００４】
図１は従来のプラズマ表示装置の駆動波形図である。
【０００５】
図１に示されたように、アドレス期間では走査電極（Ｙ）に順次にＶｓｃＬ電圧を印加し、ＶｓｃＬ電圧が印加された走査電極（Ｙ）によって形成される放電セルの中で選択しようとする放電セルを通過するアドレス電極（Ａ）にアドレス電圧（Ｖａ）を印加して点灯される放電セルを選択する。ところで、アドレス期間で全ての放電セルに対して順次にアドレッシング動作が遂行されるので、時間的に後にアドレッシングされる放電セルでは、放電セル内部のプライミング粒子の不足によりアドレス放電がよく起こらないことがある。
【特許文献１】米国登録特許第５、７４５、０８６号
【発明の開示】
【発明が解決しようとする課題】
【０００６】
そこで、本発明は、安定なアドレス放電を遂行できるプラズマ表示装置及びその駆動方法を提供することにある。
【課題を解決するための手段】
【０００７】
前記課題を解決するために、本発明の一つの観点によれば、複数の第１電極と複数の第２電極及び前記第１電極と第２電極に交差する方向に形成される複数の第３電極を含むプラズマ表示装置において、１フレーム期間を複数のサブフィールド期間に分けて駆動する方法が提供される。この駆動方法は、前記複数の第１電極を第１及び第２グループを含む複数のグループに分け、前記複数のサブフィールド期間を第１及び第２グループを含む複数のグループに分け、前記第１グループのサブフィールド期間は、第１リセット期間で第１グループの放電セルを初期化する段階と、第１アドレス期間で第１グループの放電セルのうち点灯される放電セルを選択する段階と、第２リセット期間で第２グループの放電セルを初期化する段階と、第２アドレス期間で前記第２グループの放電セルのうち点灯される放電セルを選択する段階と、維持期間で前記選択された第１及び第２グループの放電セルを維持放電させる段階と、を含み、前記第１アドレス期間で前記点灯される放電セルの第１及び第２電極に各々印加される電圧差が前記第２アドレス期間で前記点灯される放電セルの第１及び第２電極に各々印加される電圧差と異なる。
【０００８】
この時、前記第１及び第２リセット期間のうちいずれか一つは、前記第２電極の電圧を第１電圧から第２電圧まで漸進的に減少させる補助リセット期間であり、残り一つは前記第２電極の電圧を第３電圧から第４電圧まで漸進的に増加させた後、第５電圧から第６電圧まで漸進的に減少させるメインリセット期間である。
【０００９】
そして、この駆動方法は、前記第１及び第２アドレス期間では、各々前記第１電極を第７電圧に維持した状態で点灯される放電セルの前記第２電極に第８電圧を印加する段階を含み、前記補助リセット期間に連なる前記第１または第２アドレス期間での前記第７電圧と前記第８電圧との差が前記メインリセットに連なる前記第１または第２アドレス期間での前記第７電圧と前記第８電圧との差より大きい。この時、前記第１リセット期間は補助リセット期間であり、前記第２リセット期間はメインリセット期間であり、前記第１アドレス期間での前記第７電圧が前記第２アドレス期間での前記第７電圧より高い電圧であってもよく、前記第１アドレス期間での前記第８電圧が前記第２アドレス期間での前記第８電圧より低い電圧であってもよい。
【００１０】
また、この駆動方法によれば、前記第２グループのサブフィールド期間は、第３リセット期間で第２グループの放電セルを初期化する段階と、第３アドレス期間で前記第２グループの放電セルのうち点灯される放電セルを選択する段階と、第４リセット期間で第１グループの放電セルを初期化する段階と、第４アドレス期間で前記第１グループの放電セルのうち点灯される放電セルを選択する段階と、前記維持期間で前記選択された第１及び第２グループの放電セルを維持放電させる段階と、を含み、前記第３アドレス期間で前記点灯される放電セルの第１及び第２電極に各々印加される電圧の差が前記第４アドレス期間で前記点灯される放電セルの第１及び第２電極に各々印加される電圧の差と異なる。
【００１１】
そして、本発明の別の一つの観点によれば、プラズマ表示パネル、制御部及び駆動回路を含むプラズマ表示装置が提供される。プラズマ表示パネルは、複数の第１電極と複数の第２電極及び前記第１電極と第２電極に交差する方向に形成される複数の第３電極を含む。制御部は、前記複数の第１電極を第１及び第２グループを含む複数のグループに分け、１フレーム期間を第１及び第２グループを含む複数のサブフィールド期間に分けて駆動されるようにする。そして、駆動回路は、前記第１グループのサブフィールド期間において、第１リセット期間の間第１グループの放電セルを初期化し、第１アドレス期間の間第１グループの放電セルに対してアドレス放電を遂行した後、第２リセット期間の間第２グループの放電セルを初期化し、第２アドレス期間の間第２グループの放電セルに対してアドレス放電を遂行する。この時、前記駆動回路は、前記第１アドレス期間で前記点灯される放電セルの第１及び第２電極に各々印加される電圧の差を前記第２アドレス期間で前記点灯される放電セルの第１及び第２電極に各々印加される電圧の差と異なるようにする。
【発明の効果】
【００１２】
本発明によるプラズマ表示装置及びその駆動方法は、第１グループの放電セルに対して補助リセット期間で初期化を遂行した後、アドレッシングを遂行し、第２グループの放電セルに対してメインリセット期間に初期化を遂行した後、アドレッシングを遂行することによって、安定なアドレス放電を起こすことができるようになる。この時、補助リセット期間に連なるアドレス期間で点灯される放電セルの維持電極と走査電極の間の電圧差を大きくすることによってさらに安定なアドレス放電を遂行することができるようになる。
【発明を実施するための最良の形態】
【００１３】
以下に添付した図面を参照しながら本発明の好ましい実施の形態について当業者が容易に実施することができるように詳細に説明する。しかしながら、本発明は多様に異なる形態で実現できるので、ここで説明する実施の形態に限定されるものではない。そして、図面で本発明を明確に説明するために説明と無関係な部分は省略し、明細書全体にかけて類似な部分については類似な図面符号を示すものとする。また、ある部分がある構成要素を“包含”するという時、これは特別に反対される記載がない限り他の構成要素を除くことではなく、他の構成要素をさらに含むことができることを意味する。
【００１４】
そして、本発明で壁電荷とは、セルの壁（例えば、誘電体層）上で各電極の近傍に形成される電荷を言う。そして、壁電荷は実際に電極自体に接触されないけれど、ここでは電極に“形成される”、“蓄積される”または“積まれる”のように説明する。また、壁電圧は、壁電荷によってセルの壁に形成される電位差を言う。
【００１５】
さて、本発明の実施の形態によるプラズマ表示装置及びその駆動方法について詳細に説明する。
【００１６】
まず、本発明の実施の形態によるプラズマ表示装置の概略的な構造に対して図２を参照して詳しく説明する。
【００１７】
図２は、本発明の実施の形態によるプラズマ表示装置を示す図面である。
【００１８】
図２に示したように、本発明の実施の形態によるプラズマ表示装置は、プラズマ表示パネル１００と、制御部２００と、アドレス電極駆動部３００と、走査電極駆動部４００及び維持電極駆動部５００と、を含む。
【００１９】
プラズマ表示パネル１００は、列方向にのびている複数のアドレス電極（Ａ１〜Ａｍ）と、行方向に互いに対をなしながらのびている複数の維持電極（Ｘ１〜Ｘｎ）及び走査電極（Ｙ１〜Ｙｎ）と、を含む。維持電極（Ｘ１〜Ｘｎ）は、各走査電極（Ｙ１〜Ｙｎ）に対応して形成され、一般にその一端が互いに共通に連結されている。そして、プラズマ表示パネル１００は、維持及び走査電極（Ｘ１〜Ｘｎ、Ｙ１〜Ｙｎ）が配列された基板（図示せず）とアドレス電極（Ａ１〜Ａｍ）が配列された基板（図示せず）からなる。両基板は、走査電極（Ｙ１〜Ｙｎ）とアドレス電極（Ａ１〜Ａｍ）及び維持電極（Ｘ１〜Ｘｎ）とアドレス電極（Ａ１〜Ａｍ）が各々直交するように放電空間を挟んで対向して配置される。この時、アドレス電極（Ａ１〜Ａｍ）と維持及び走査電極（Ｘ１〜Ｘｎ、Ｙ１〜Ｙｎ）の交差部にある放電空間が放電セルを形成する。このようなプラズマ表示パネル１００の構造は一例であり、後述する駆動波形が適用できる他の構造のパネルも本発明に適用できる。
【００２０】
制御部２００は、外部から映像信号を受信してアドレス電極駆動制御信号と、維持電極駆動制御信号及び走査電極駆動制御信号と、を出力する。そして、制御部２００は、１フレームを複数のサブフィールドに分割して駆動し、複数の維持電極（Ｘ）を複数のグループに分割して駆動する。この時、各サブフィールドは、時間的な動作変化に表現すればリセット期間、アドレス期間及び維持期間からなる。
【００２１】
アドレス電極駆動部３００は、制御部２００からアドレス電極駆動制御信号を受信して表示しようとする放電セルを選択するための表示データ信号を各アドレス電極（Ａ）に印加する。
【００２２】
走査電極駆動部４００は、制御部２００から走査電極駆動制御信号を受信して走査電極（Ｙ）に駆動電圧を印加する。
【００２３】
維持電極駆動部５００は、制御部２００から維持電極駆動制御信号を受信して維持電極（Ｘ）に駆動電圧を印加する。
【００２４】
その次に、図３を参照して本発明の第１実施の形態によるプラズマ表示装置の駆動波形について詳細に説明する。下記では、便宜上一つのセルを形成する走査電極（以下、“Ｙ電極”という。）、維持電極（以下、“Ｘ電極”という。）及びアドレス電極（以下、“Ａ電極”という。）に印加される駆動波形についてのみ説明する。
【００２５】
図３は、本発明の第１実施の形態によるプラズマ表示装置の駆動波形を示す図面である。
【００２６】
図３に示したように、本発明の第１実施の形態によるプラズマ表示装置は、複数のＸ電極を複数のグループに分割して駆動する。図３では、偶数番目と奇数番目に２等分する。つまり、複数のＸ電極を二つのグループに等分し、第１グループは奇数番目Ｘ電極群に、第２グループは偶数番目Ｘ電極群に分割された場合を示した。下記では、第１グループのＸ電極とＹ電極及びこれと交差するＡ電極によって形成される放電セルを第１グループの放電セルといい、第２グループのＸ電極とＹ電極及びこれと交差するＡ電極によって形成される放電セルを第２グループの放電セルという。
【００２７】
図３を見れば、一つのサブフィールドで第１グループの放電セルについては補助リセットを遂行した後にアドレス放電を遂行し、第２グループの放電セルについてはメインリセットを遂行した後にアドレス放電を遂行する。ここで、補助リセットとは、Ｙ電極波形が下降期間のみで上昇を含まないリセット操作をいい、メインリセットとは、上昇期間と下降期間をともに含むリセット操作をいう。そして、補助リセットは直前サブフィールドで維持放電が起こった放電セルに対して初期化を遂行し、メインリセットは全ての放電セルの初期化を遂行する。
【００２８】
このように、補助リセットを遂行した第１グループの放電セルに対して、次に、アドレッシング動作を遂行し、その後に第２グループの放電セルについてはメインリセットを遂行した後、アドレッシング動作を遂行することによって、リセット以後に全ての放電セルに対して順次にアドレッシングを遂行する従来の駆動方法に比べて、リセット直後から最終放電セルに関してアドレッシング動作が遂行される時までに要する時間を半分に減らすことができるためにアドレス放電を安定的に起こすことができるようになる。
【００２９】
一方、図３では各サブフィールドで補助リセットがメインリセットの前に遂行されるものとして示したが、これと異なるようにしても良い。例えば、メインリセットをまず遂行してから補助リセットを遂行しても良く、補助リセットまたはメインリセットのみを遂行しても良い。しかしながら、補助リセットは直前サブフィールドで維持放電がある場合にはリセット放電が起こり、維持放電がない場合にはリセット放電が起こらないので、補助リセットを後に遂行するようになれば直前サブフィールドの維持放電が終了した直後から補助リセットを始める直前までに要する時間が長いので、プライミング粒子が消滅して補助リセットに適切な水準の壁電荷を形成できなくなり、メインリセットのみを遂行する場合にはリセットにかかる時間が長くなるので、本発明の第１実施の形態では各サブフィールドで時間的に補助リセットがメインリセットより前に、まず遂行されるものとして説明する。
【００３０】
まず、奇数番目サブフィールド（ｏｄｄ  ｎｕｍｂｅｒｅｄ  ＳＦ）に印加される駆動波形について説明する。
【００３１】
奇数番目サブフィールドでは、図３左端部分に示したように、リセット期間（Ｒ１１）の直前維持期間（Ｓ２）に、Ｙ電極にＶｓ電圧パルスが印加され、第１グループのＸ電極Ｘ１に基準電圧（図３では０Ｖ）が印加されて最終維持放電が起こる。この時、第２グループのＸ電極Ｘ２の電圧がＶｓ電圧にバイアスされているため最終維持放電が起こらない。したがって、第２グループのＸ電極の場合には、更に一つ前のパルス期間で、第２グループのＸ電極にＶｓ電圧が印加されてＹ電極に基準電圧が印加された時に最終維持放電が起こっている。
【００３２】
リセット期間（Ｒ１１）の下降期間では、直前サブフィールドの維持期間でＹ電極に最終維持放電パルスが印加された状態からＹ電極の電圧をＶｎｆ電圧まで漸進的に減少させる。この時、Ａ電極及び第２グループのＸ電極には基準電圧が印加され、第１グループのＸ電極はＶｅ電圧にバイアスされる。そうすれば、Ｙ電極の電圧が減少する途中でＹ電極と第１グループのＸ電極の間及びＹ電極とＡ電極との間で微弱なリセット放電が起こりながら、Ｙ電極に形成された（−）の壁電荷と第１グループのＸ電極及びＡ電極に形成された（＋）の壁電荷が消去される。
【００３３】
このように、電極の電圧が図３のように漸進的に変わる場合には、セルに微弱な放電が起こりながら外部から印加された電圧とセルの壁電圧の和が放電開始電圧状態を維持するように壁電荷が形成される。このような原理については特許文献１に開示されている。一般に、（Ｖｅ−Ｖｎｆ）電圧の大きさはＹ電極とＸ電極の間の放電開始電圧近くに設定される。そうすれば、Ｙ電極とＸ電極の間の壁電圧が殆ど０Ｖになって、アドレス期間でアドレス放電が起こらないセルが維持期間で誤放電することを防止できる。
【００３４】
他方、リセット期間（Ｒ１１）でＹ電極と第２グループのＸ電極との間でリセット放電が起こらない理由について説明すれば、最終維持放電が以後第２グループのＸ電極には（−）壁電荷が形成され、Ｙ電極には（＋）壁電荷が形成される。この状態からＹ電極の電圧をＶｎｆ電圧まで減少させるようになれば、Ｙ電極と第２グループのＸ電極の間の電位差が減ってリセット放電が起こらないようになる。
【００３５】
その次に、アドレス期間（Ａ１１）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で、選択しようとする放電セルを通過するＡ電極にＶａ電圧を有するアドレスパルスを印加し、選択しないＡ電極は基準電圧にバイアスする。
【００３６】
そうすれば、Ｖａ電圧が印加されたＡ電極とＶｓｃＬ電圧が印加されたＹ電極によって形成される放電セルでアドレス放電が起こりながら、Ｙ電極には（＋）の壁電荷が形成され、第１グループのＸ電極には（−）の壁電荷が形成される。また、Ａ電極にも（−）壁電荷が形成される。
【００３７】
この時、Ｙ電極には（＋）壁電荷が形成されているためアドレス期間（Ａ１１）で第２グループの放電セルにはアドレス放電が起こらない。
【００３８】
一方、図３ではリセット期間（Ｒ１１）の下降期間とアドレス期間（Ａ１１）で第１グループのＸ電極にＶｅ電圧を印加するものとして説明したが、第２グループのＸ電極に印加された電圧と同一な電圧である基準電圧が印加されても良い。
【００３９】
このようにして第１グループの放電セルに対してアドレス放電が終われば、第２グループの放電セルに対してリセット放電が遂行される。
【００４０】
リセット期間（Ｒ１２）前半の上昇期間では、第１グループのＸ電極及びＡ電極を各々Ｖｓ１電圧及び基準電圧に維持した状態でＹ電極の電圧を基準電圧からＶｓ２電圧まで漸進的に増加させる。この時、第２グループのＸ電極には、負電圧であるＶｎ電圧が印加される。そうすれば、Ｙ電極の電圧が増加する途中でＹ電極と第２グループのＸ電極との間で微弱なリセット放電が起こりながら、Ｙ電極に形成された（−）の壁電荷が形成され、第２グループのＸ電極には（＋）壁電荷が形成される。ここで、リセット期間では、全てのセルの状態を初期化するべきなので、Ｖｓ１電圧とＶｎ電圧の差は、全ての条件のセルで放電が起こせる程度の高電圧である。この時、Ｖｓ１電圧とＶｓ２電圧の大きさを維持期間で維持放電のためにＸ電極とＹ電極に印加される維持放電電圧（Ｖｓ）と同一な大きさに設定すれば追加的な電源の種類を少なくできる。
【００４１】
そして、リセット期間（Ｒ１２）後半の下降期間では、第１グループのＸ電極及び第２グループのＸ電極を各々基準電圧及びＶｅ電圧に維持した状態でＹ電極の電圧を基準電圧から負電圧Ｖｎｆまで漸進的に減少させる。そうすれば、Ｙ電極の電圧が減少する途中でＹ電極と第２グループのＸ電極との間で微弱なリセット放電が起こりながら、Ｙ電極及びＸ電極に形成された壁電荷が消去される。
【００４２】
他方、リセット期間（Ｒ１２）でＹ電極と第１グループのＸ電極との間でリセット放電が起こらない理由について説明すれば、上昇期間でＹ電極の電圧がＶｓ２電圧まで増加する時、第１グループのＸ電極ではＶｓ１電圧にバイアスされているので、第１グループのＸ電極とＹ電極の間ではリセット放電が起こらないようになる。したがって、上昇期間終了後の壁電荷状態は、アドレス期間終了後の壁電荷状態と実質的に同一になる。すなわち、Ｙ電極には（＋）の壁電荷が形成され、Ｘ電極には（−）の壁電荷が形成された状態から下降期間中にＹ電極の電圧がＶｎｆ電圧まで減少する時、第１グループのＸ電極は基準電圧にバイアスされるので、Ｙ電極と第２グループのＸ電極の間の電位差が小さくなってリセット放電が起こらない。
【００４３】
その次に、アドレス期間（Ａ１２）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。なお、ＶｓｃＬ電圧を走査電圧と呼び、ＶｓｃＨ電圧を非走査電圧と呼ぶこともある。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第２グループのＸ電極には（−）の壁電荷が形成される。また、Ａ電極にも（−）壁電荷が形成される。
【００４４】
次いで、維持期間（Ｓ１）では、Ｙ電極と第１及び第２グループのＸ電極（Ｘ１、Ｘ２）に順次にＶｓ電圧の維持放電パルスを印加する。そうすれば、アドレス期間のアドレス放電によってＹ、Ｘ両電極間に形成された壁電圧とＶｓ電圧によってＹ電極とＸ電極で放電が起こる。他方、維持期間（Ｓ１）の終了直前に、Ｙ電極に最終維持放電パルスＶｓが印加される時、第１グループのＸ電極にはＶｓ電圧が印加され、第２グループのＸ電極には基準電圧が印加される。
【００４５】
その次に、偶数番目サブフィールド（ｅｖｅｎ  ｎｕｍｂｅｒｅｄ  ＳＦ）に印加される駆動波形について説明する。
【００４６】
偶数番目サブフィールドでは、図３に示したように、リセット期間（Ｒ２１）の直前維持期間（Ｓ１）にＹ電極にＶｓ電圧が印加され、第２グループのＸ電極に基準電圧が印加されて最終維持放電が起こる。この時、第１グループのＸ電極の電圧がＶｓ電圧にバイアスされているため維持放電が起こらない。したがって、第１グループのＸ電極の場合には、第１グループのＸ電極にＶｓ電圧が印加され、Ｙ電極に基準電圧が印加されて最終維持放電が起こる。
【００４７】
リセット期間（Ｒ２１）の下降期間では、直前サブフィールドの維持期間でＹ電極に最終維持放電パルスが印加された状態からＹ電極の電圧をＶｎｆ電圧まで漸進的に減少させる。この時、Ａ電極及び第１グループのＸ電極には基準電圧が印加され、第２グループのＸ電極はＶｅ電圧にバイアスされる。そうすれば、Ｙ電極の電圧が減少する中にＹ電極と第２グループのＸ電極の間及びＹ電極とＡ電極との間で微弱なリセット放電が起こりながら、Ｙ電極に形成された（−）の壁電荷と第２グループのＸ電極及びＡ電極に形成された（＋）の壁電荷が消去される。この時、前述したことと同様に、最終維持放電以後第１グループのＸ電極には（−）壁電荷が形成され、Ｙ電極には（＋）壁電荷が形成されているので、リセット期間（Ｒ２１）でＹ電極と第１グループのＸ電極との間でリセット放電が起こらない。
【００４８】
アドレス期間（Ａ２１）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第２グループのＸ電極には（−）の壁電荷が形成される。また、Ａ電極にも（−）壁電荷が形成される。この時、Ｙ電極には（＋）壁電荷が形成されているので、アドレス期間で第１グループの放電セルには放電が起こらない。
【００４９】
このようにして第２グループの放電セルに対してアドレス放電が終われば、第１グループの放電セルに対してリセット放電が遂行される。
【００５０】
リセット期間（Ｒ２２）の上昇期間では、第２グループのＸ電極及びＡ電極を各々Ｖｓ１電圧及び基準電圧に維持した状態でＹ電極の電圧を基準電圧からＶｓ２電圧まで漸進的に増加させる。この時、第１グループのＸ電極には負の電圧であるＶｎ電圧が印加される。そうすれば、Ｙ電極の電圧が増加する中にＹ電極と第１グループのＸ電極との間で微弱なリセット放電が起こりながら、Ｙ電極に形成された（−）の壁電荷が形成され、第２グループのＸ電極には（＋）壁電荷が形成される。
【００５１】
そして、リセット期間（Ｒ２２）の下降期間では第１グループのＸ電極及び第２グループのＸ電極を各々Ｖｅ電圧及び基準電圧に維持した状態でＹ電極の電圧を基準電圧からＶｎｆ電圧まで漸進的に減少させる。そうすれば、Ｙ電極の電圧が減少する中にＹ電極と第１グループのＸ電極との間で微弱なリセット放電が起こりながら、Ｙ電極及びＸ電極に形成された壁電荷が消去される。
【００５２】
一方、前述したような理由によりリセット期間（Ｒ２２）でＹ電極と第２グループのＸ電極との間でリセット放電が起こらない。
【００５３】
その次に、アドレス期間（Ａ２２）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。そうすれば、Ｖａ電圧が印加されたＡ電極とＶｓｃＬ電圧が印加されたＹ電極によって形成される放電セルでアドレス放電が起こりながら、Ｙ電極には（＋）の壁電荷が形成され、第１グループのＸ電極には（−）壁電荷が形成される。また、Ａ電極にも（−）壁電荷が形成される。
【００５４】
次いで、維持期間（Ｓ２）では、Ｙ電極と第１及び第２グループのＸ電極に順次にＶｓ電圧の維持放電パルスを印加する。そうすれば、アドレス期間でアドレス放電によってＹ電極とＸ電極との間に形成された壁電圧とＶｓ電圧によってＹ電極とＸ電極で放電が起こる。
【００５５】
このようにして本発明の第１実施の形態では、第１グループの放電セルに対して初期化を遂行した後、アドレッシングを遂行し、第２グループの放電セルに対して初期化を遂行した後、アドレッシングを遂行することによって、安定なアドレス放電を起こすこととができるようになる。
【００５６】
他方、前述したように、メインリセットは全ての放電セルに対して初期化を遂行し、補助リセットは直前サブフィールドで維持放電があるセルに対してのみ初期化を遂行するので、補助リセットの場合メインリセットに比べて放電空間内にプライミング粒子が少なく形成される。したがって、補助リセット後のアドレス放電がよく起こらない。したがって、下記では、補助リセットの場合にもアドレス放電をよく起こすことができる実施の形態に対して図４及び図５を参照して詳細に説明する。
【００５７】
図４及び図５は各々本発明の第２及び第３実施の形態によるプラズマ表示装置の駆動波形を示した図面である。図５では、図３に示されたＶｓｃＬ電圧と同一なレベルの電圧をＶｓｃＬ１に示した。
【００５８】
まず、図４に示したように、奇数番目サブフィールドでは、補助リセット（Ｒ１１）に連なるアドレス期間（Ａ１１）で第１グループの放電セルに対してアドレス放電を起こすために第１グループのＸ電極にＶｅ電圧より高いＶｅ１電圧を印加する。
【００５９】
同様に、偶数番目サブフィールドでも補助リセット（Ｒ２１）に連なるアドレス期間（Ａ２１）で第２グループの放電セルに対してアドレス放電を起こすために第２グループのＸ電極にＶｅ電圧より高いＶｅ１電圧を印加する。
【００６０】
このようにすれば、補助リセットに連なるアドレス期間でのＸ電極とＹ電極の電圧差がメインリセットに連なるアドレス期間でのＸ電極とＹ電極の電圧差より大きくなるので、補助リセットを遂行した場合にも安定なアドレス放電を起こすことができるようになる。
【００６１】
一方、本発明の第２実施の形態とは違って図５に示したように、補助リセット（Ｒ１１、Ｒ２１）に連なるアドレス期間（Ａ１１、Ａ２１）で点灯される放電セルのＹ電極にＶｓｃＬ１電圧より低いＶｓｃＬ２電圧を有する走査パルスを印加しても良い。そうすれば、補助リセットに連なるアドレス期間でのＡ電極に印加されたＶａ電圧とＹ電極に印加されたＶｓｃＬ２電圧の差がメインリセットに連なるアドレス期間での電圧差より大きくなるので、補助リセットを遂行しても安定なアドレス放電を起こすことができるようになる。なお、前記の低い電圧とは、大きい値の負電圧をいう。
【００６２】
そして、本発明の第１乃至第３実施の形態では、メインリセットの上昇期間でＹ電極の電圧をＶｓ電圧近傍として説明した。この時、Ｘ電極には基準電圧より低いＶｎ電圧が印加されるので、Ｙ電極とＸ電極の間の電圧差が大きくなってＹ電極とＸ電極との間には十分な壁電荷が形成できる。しかしながら、Ｙ電極とＡ電極の電圧差は相対的に大きくないので、Ｙ電極とＡ電極との間に十分な壁電荷が形成されないことができる。したがって、以後の放電がよく起こらないことがある。下記では、Ｙ電極とＡ電極との間に壁電荷を十分に形成できる実施の形態について図６を参照して詳細に説明する。
【００６３】
図６を本発明の第４実施の形態によるプラズマ表示装置の駆動波形を示した図面である。図６では図４に示された駆動波形を適用した。
【００６４】
図６に示したように、補助リセットを遂行するためにリセット期間（Ｒ１１、Ｒ２１）に連なるアドレス期間（Ａ１１、Ａ２１）直後の期間（Ａ１１’、Ａ２１’）では、第１及び第２グループのＸ電極を基準電圧にバイアスした状態でＡ電極にＶａ電圧を印加し、Ｙ電極の電圧をＶｓｃＨ電圧からＶｓｃＬ電圧まで漸進的に減少させる。このようにすれば、Ａ電極に（−）壁電荷が形成され、Ｙ電極に（＋）壁電荷が形成される。すなわち、Ｙ電極の壁電荷による電位がＡ電極の壁電荷による電位より高まるので、以後のリセット期間（Ｒ１２）の上昇期間でＹ電極とＡ電極の間の放電が速く起こることができるようにされる。したがって、Ｙ電極とＡ電極との間に十分な壁電荷を形成できる。
【００６５】
他方、本発明の第１乃至第４実施の形態で説明した各電極の電圧レベルは、Ａ電極、Ｘ電極及びＹ電極の電圧差が実施の形態と類似すれば、異なる電圧レベルまたは異なる形態にも変更可能である。
【００６６】
以上、本発明の好ましい実施の形態について説明したが、本発明はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００６７】
【図１】従来のプラズマ表示装置の駆動波形を示した図面である。
【図２】本発明の実施の形態によるプラズマ表示装置を示す図面である。
【図３】本発明の第１実施の形態によるプラズマ表示装置の駆動波形を示す図面である。
【図４】本発明の第２実施の形態によるプラズマ表示装置の駆動波形を示す図面である。
【図５】本発明の第３実施の形態によるプラズマ表示装置の駆動波形を示す図面である。
【図６】本発明の第４実施の形態によるプラズマ表示装置の駆動波形を示す図面である。
【符号の説明】
【００６８】
１００    プラズマ表示パネル
２００    制御部
３００    アドレス電極駆動部
４００    走査電極駆動部
５００    維持電極駆動部
Ａ１乃至Ａｍ    アドレス電極
Ｘ１乃至Ｘｎ    維持電極
Ｙ１乃至Ｙｎ    走査電極
Ａ１１、Ａ２１    アドレス期間
Ａ１１’、Ａ２１’    アドレス期間直後期間
Ｒ１１、Ｒ２１    リセット期間
【図１】
2007034272.tif 000003
【図２】
2007034272.tif 000004
【図３】
2007034272.tif 000005
【図４】
2007034272.tif 000006
【図５】
2007034272.tif 000007
【図６】
2007034272.tif 000008